(57)【特許請求の範囲】
【請求項１】
センタ装置から伝送路に接続されている多数の端末装置に対してデータ送信の要求を一斉に問い合わせる問合データを送信し、端末装置はこの問合データに応答してデータを送信するようにしたデータ通信システムにおいて、
前記センタ装置は前記全端末装置に対して一斉に前記問合データを送信し、
前記問合データに対して最先に応答する端末装置に０、他の端末装置に１から順に増加する自然数から成る識別番号ｋを割り付け、前記センタ装置と識別番号ｋの端末装置との間の伝送遅延時間をα（ｋ）、前記問合データの時間長をｄ、前記応答データの時間長をｒ、所定時間をδ（０を含む）、０≦ｓ≦δを満たす所定時間をｓとし、β＝ｄ＋２α（０）とする時、
前記各端末装置と前記センタ装置との間で信号の折り返し伝送をすることで、前記各端末装置と前記センタ装置との間の伝送遅延時間α（ｋ）を測定し、
測定後、前記各端末装置にα（０）、α（ｋ）を設定すると共に、前記センタ装置にα（０）を設定し、
識別番号ｋの端末装置は、前記問合データの受信完了後、
【数１】
0003610467.tif 000003
時間後に前記応答データを送信し、
前記センタ装置は前記問合データの送信開始後β時間の経過時を基準時とし、その基準時からｎ（ｒ＋δ）（ｎは自然数）の時間間隔で時刻を分割して時刻区間を設定する時、端末装置から送信された応答データがどの時刻区間で受信されたかを判断し、第ｎ時刻区間で受信した応答データはｎ−１の識別番号ｋを有する端末装置から送出されたデータであると特定する
ようにしたことを特徴とするデータ通信システム。
【請求項２】
請求項１に記載のデータ通信システムにおいて使用されるセンタ装置であって、
前記全端末装置に対して一斉に前記問合データを送信する問合データ送信手段と、
前記問合データの送信開始後β時間の経過時を基準時とし、その基準時からｎ（ｒ＋δ）（ｎは自然数）の時間間隔で時刻を分割して時刻区間を設定する時、端末装置から送信された応答データがどの時刻区間で受信されたかを検出する受信時刻区間検出手段と、
前記受信時刻区間検出手段により検出された前記時刻区間が第ｎ時刻区間であるとき、前記応答データはｎ−１の識別番号ｋを有する端末装置から送出されたデータであると特定する端末特定手段と
から成ることを特徴とするセンタ装置。
【請求項３】
請求項２に記載のセンタ装置において、
各端末装置に信号を送信し、各端末装置はその信号の受信完了後、直ちに、センタ装置に信号を送信し、センタ装置は、信号送信完了時から信号受信開始時までの経過時間から前記伝送遅延時間α（ｋ）を測定する伝送遅延時間測定手段と、
識別番号ｋの端末装置に対して、測定されたα（０）とα（ｋ）とを送信する伝送遅延時間送信手段とを
有することを特徴とするセンタ装置。
【請求項４】
請求項１に記載のデータ通信システムにおいて使用される端末装置であって、
自己の端末装置が前記応答データを送信する場合には、識別番号ｋに対して、前記問合データの受信完了後、
【数２】
0003610467.tif 000004
時間後に前記応答データを送信するデータ送信手段と
を有することを特徴とする端末装置。
【請求項５】
請求項４に記載の端末装置において、
識別番号ｋ、伝送遅延時間α（０），α（ｋ）を記憶する記憶手段と、
前記応答データの送信時刻を演算する送信時刻演算手段と
を有する端末装置。
【請求項６】
請求項５に記載の端末装置において、
前記伝送遅延時間α（０），α（ｋ）は前記センタ装置から送信されたデータであることを特徴とする端末装置。
【請求項７】
請求項４に記載の端末装置において、
センタ装置に信号を送信し、その信号がセンタ装置で受信された後、直ちに、センタ装置から送信される信号を受信することで、信号送信完了時から信号受信開始時までの経過時間から前記伝送遅延時間α（ｋ）を測定する伝送遅延時間測定手段と、
伝送遅延時間α（０）を前記センタ装置又は識別番号ｋが０の端末装置から受信する受信手段とを有し、
測定された伝送遅延時間α（ｋ）と受信した伝送遅延時間α（０）を前記記憶手段に記憶させたことを特徴とする。
【請求項８】
請求項１に記載のデータ通信システムにおいて、
前記センタ装置に最も近い端末装置の識別番号ｋを０としたことを特徴とするデータ通信システム。
【請求項９】
請求項４に記載の端末装置において、
前記センタ装置に最も近い端末装置の識別番号ｋを０としたことを特徴とする端末装置。
【請求項１０】
請求項１に記載のデータ通信システムにおいて、
前記問合データに対する前記端末装置からの応答データは通信要求の有無を示すデータだけとし、
前記センタ装置は、問合せの終了後に、通信要求の有った端末装置に対して順次、ポーリングによりデータ送信の指令を送信して、その端末装置はそのデータ送信指令を受信して、送信データをセンタ装置に送信するようにしたことを特徴とするデータ通信システム。
【請求項１１】
請求項１に記載のデータ通信システムにおいて、
前記問合データに対する前記端末装置からの応答データは通信要求の有無を示すデータだけとし、
前記センタ装置は、問合せの終了後に、通信要求の有った端末装置に対して、前記問合データを送信するチャネルとは別のチャネルを用いて、通信要求の有った端末装置に対してデータ通信を行うようにしたことを特徴とするデータ通信システム。
【発明の詳細な説明】
【０００１】
【発明の属する技術分野】
本発明は、センタ装置と多数の端末装置間におけるデータ通信に関し、特に、センタ装置から多数の端末装置に対するポーリングによりデータ通信を行うシステムに関する。
【０００２】
【従来技術】
従来、センタ装置と多数の端末装置間でデータ通信を行う１つの方式に、センタ装置から端末装置にデータ送信要求を問合わせるポーリング方式が知られている。このポーリング方式はセンタ装置が問合せる端末装置のアドレスを指定して問合データを送信し、端末装置はこの問合データのアドレスと自己の端末装置のアドレスとが一致した時に自己の端末装置に対する問合せと判定し、送信データがある場合に、自己のアドレスと送信データとから成るデータパケットを送信するようにしている。
【０００３】
【発明が解決しようとする課題】
このシステムでは、図７に示すように、センタ装置から送信される１回の問合データは、相手の端末装置を指定するアドレスデータ含み、端末装置から送信される信号には、送信元の端末装置を特定するアドレスデータが含まれている。このため、１回の送信に関するデータフレームが長くなる。
【０００４】
又、センタ装置からの問合データは、図８に示すように、１つの端末装置に対するものであり、順次、端末装置をポーリングするため、データフレームが長いと、１端末装置に対する問合せ開始から応答データの受信完了までの時間が長くなり、その結果、全端末装置に対するポーリングが完了するまでのサイクルタイムが長くなるという問題がある。
【０００５】
本発明は、上記課題を解決するために成されたものであり、その目的は、ポーリング方式において、そのポーリングにかかる時間を短くすることである。
【０００６】
【課題を解決するための手段及び作用効果】
請求項１の発明は、センタ装置から伝送路に接続されている多数の端末装置に対してデータ送信の要求を一斉に問い合わせる問合データを送信し、端末装置はこの問合データに応答してデータを送信するようにしたデータ通信システムである。
【０００７】
本システムでは、センタ装置は全端末装置に対して一斉に問合データを送信する。問合データに対して最先に応答する端末装置に０、他の端末装置に１から順に増加する自然数から成る識別番号ｋを割り付け、センタ装置と識別番号ｋの端末装置との間の伝送遅延時間をα（ｋ）、問合データの時間長をｄ、応答データの時間長をｒ、所定時間をδ（０を含む）、０≦ｓ≦δを満たす所定時間をｓとし、β＝ｄ＋２α（０）とする。
【０００８】
各端末装置とセンタ装置との間で信号の折り返し伝送をすることで、各端末装置とセンタ装置との間の伝送遅延時間α（ｋ）が測定され、測定後、各端末装置にα（０）、α（ｋ）を設定すると共に、センタ装置にα（０）が設定される。
【０００９】
そして、識別番号ｋの端末装置は、問合データの受信完了後、
【数３】
２α（０）＋ｋ（ｒ＋δ）−２α（ｋ）＋ｓ
後に、応答データを送信する。
【００１０】
センタ装置は問合データの送信開始後β時間の経過時を基準時とし、その基準時からｎ（ｒ＋δ）（ｎは自然数）の時間間隔で時刻を分割して時刻区間を設定する時、端末装置から送信された応答データがどの時刻区間で受信されたかをを判断し、第ｎ時刻区間で受信した応答データはｎ−１の識別番号ｋを有する端末装置から送出されたデータであると特定する。
【００１１】
問合データに対する端末装置の応答データの送信は、問合データの受信完了後、
【数４】
２α（０）＋ｋ（ｒ＋δ）−２α（ｋ）＋ｓ
後である。
【００１２】
この条件は、伝送路の伝送遅延時間も考慮して、各端末から送信される応答データが衝突を生じない条件であり、δ＝０の時、各端末装置からの応答データはセンタ装置において衝突を生じることなく連続して受信される。時間δは、理論と実際との誤差に起因する応答データの重りを防止する余裕時間と、センタ装置において、１つの応答データの受信が完了してから、次の応答データの受信が可能な状態となるまでの準備時間等のために必要となる。δの値を伝送遅延時間の測定誤差、センタ装置での時刻区間の検出処理に要する時間等を考慮して、成るべく小さい値に設定すれば、伝送路の空き時間をなるべく小さくすることが可能となり、伝送効率を向上させることができる。
【００１３】
又、センタ装置から送信される問合データは全端末装置に対して一斉に送信されることから端末装置を指定するアドレスデータが不用となり、上記の問合データの時間長ｄを短くすることができる。又、センタ装置は応答データの受信タイミングから応答データを送信した端末装置を特定することができ、端末装置は応答データにアドレスデータを設ける必要はないことから、応答データの時間長ｒも短くすることができる。これらの結果、センタ装置が問合データを送信してから、全端末装置から全応答データの受信が完了するまでの時間が短くなり、伝送路の伝送効率を向上させることができる。
【００１４】
請求項２の発明は、請求項１に記載のデータ通信システムにおいて使用されるセンタ装置である。問合データ送信手段は全端末装置に対して一斉に問合データを送信し、受信時刻区間検出手段は、応答データが、問合データの送信開始後β時間の経過時を基準時とし、その基準時からｎ（ｒ＋δ）（ｎは自然数）の時間間隔で分割された時刻区間において、どの時刻区間で受信されたかを検出する。  又、端末特定手段は、受信時刻区間検出手段により検出された時刻区間が第ｎ時刻区間であるとき、応答データはｎ−１の識別番号ｋを有する端末装置から送出されたデータであると特定する。
【００１５】
上記の機能により、センタ装置は全端末装置に一斉に問合データを送信することから、問合データに端末装置を指定するアドレスデータは不用となり、応答データにアドレスデータが含まれていなくとも、応答データを送信した端末装置を特定することができ、応答データを短くすることができる。その結果、全端末装置に対する問合時間が短くなる。
【００１６】
又、請求項３のセンタ装置では、伝送遅延時間測定手段により、各端末装置に信号を送信し、各端末装置はその信号の受信完了後、直ちに、センタ装置に信号を送信し、センタ装置は、信号送信完了時から信号受信開始時までの経過時間から前記伝送遅延時間α（ｋ）が測定され、伝送遅延時間送信手段により、識別番号ｋの端末装置に対して、測定されたα（０）とα（ｋ）とが送信される。
【００１７】
請求項４の発明は、請求項１に記載のデータ通信システムにおいて使用される端末装置であり、識別番号ｋの端末装置の有するデータ送信手段は、自己の端末装置が前記応答データを送信する場合には、問合データの受信完了後の
【数５】
２α（０）＋ｋ（ｒ＋δ）−２α（ｋ）＋ｓ
経過後に応答データを送信する。このことから、端末装置の送信する応答データにはアドレスデータが不用となり、この端末装置を用いることで、全端末装置に対する問合時間を短くすることができる。
【００１８】
請求項５の端末装置は、請求項４の端末装置に、識別番号ｋ、伝送遅延時間α（０），α（ｋ）を記憶する記憶手段と、応答データの送信時刻を演算する送信時刻演算手段とを設け、請求項６の発明は、さらに、それらの値がセンタ装置から送信された値であることを特徴とする。この発明により、センタ装置から各端末装置までの伝送遅延時間α（ｋ）が測定され、それらの値がα（０）と共に各端末装置に設定される。この結果、各端末装置において、応答データを送出する時刻の設定が容易となる。
【００１９】
請求項７の発明は、伝送遅延時間α（ｋ）を各端末装置側から測定するようにしたことを特徴とし、α（０）はｋ＝０の端末装置で測定され、センタ装置でも必要になることから、α（０）はｋ＝０の端末装置又はセンタ装置から受信した値であることを特徴とする。これにより、各端末装置の応答データの送信時刻の設定が容易となる。
【００２０】
請求項８、９の発明は、ｋ＝０の端末装置をセンタ装置から最も近い端末装置に割り付けたことを特徴とする。この場合には、センタ装置が問合データを送信した時から基準時までの時間βを短くすることができる。従って、さらに、伝送路の空き時間が短くなり、伝送効率を向上させることができる。
【００２１】
請求項１０、１１の発明は、請求項１に記載のデータ通信システムにおいて、問合データに対する端末装置からの応答データは通信要求の有無を示すデータだけとしている。そして、請求項１０の発明は、センタ装置は問合せの終了後に、通信要求の有った端末装置に対して、順次、ポーリングによりデータ送信の指令を送信して、その端末装置はそのデータ送信指令を受信して、送信データをセンタ装置に送信するようにしたことを特徴とする。又、請求項１１の発明は、センタ装置は、問合せの終了後に、通信要求の有った端末装置に対して、問合データを送信するチャネルとは別のチャネルを用いて、通信要求の有った端末装置に対してデータ通信を行うようにしたことを特徴とする。
【００２２】
このように、センタ装置からの一斉問合せに対しては、端末装置からの応答データは送信データの有無を示すデータだけとしたので、応答データをさらに短くすることができ、全端末装置に対する１サイクルの問合せ時間を短くすることができる。又、その後のセンタ装置と端末装置との間のデータ伝送は、通信を希望している端末装置に対してのみ通信を行うことから、より伝送効率を向上させることができる。
【００２３】
【発明の実施の形態】
以下、本発明を具体的な実施例に基づいて説明する。
図１は、本発明の具体的な実施例にかかるシステムを示したものである。周波数多重化伝送路１１の一端にはヘッドエンド１０が接続されており、そのヘッドエンドにおいて、上り低群帯域の信号は下り高群帯域の信号に変換されて送信される。伝送路１１にはセンタ装置Ｃと多数の端末装置Ｅ１〜Ｅｍが接続され、伝送路１１の終端は終端器Ｚで終端されている。
【００２４】
センタ装置Ｃは変復調装置２０、入出力インタフェース２１、ＣＰＵ２２、ＲＡＭ２３、ＲＯＭ２４とで構成されている。同様に、端末装置Ｅ１〜Ｅｍも、変復調装置３０、入出力インタフェース３１、ＣＰＵ３２、ＲＡＭ３３、ＲＯＭ３４とで構成されている。変調復調装置２０、３０は、下り高群帯域信号を入力して、コードデータに変換して、入出力インタフェース２１、３１に出力し、逆に、入出力インタフェース２１、３１から入力したコードデータを変調して伝送路１１の上り低群帯域に送出する装置である。
【００２５】
ＣＰＵ２２、３２は、ＲＯＭ２４、３４に記憶されているプログラムに従って動作し、問合データの出力処理、応答データの入力処理等を実行する装置である。又、ＲＡＭ２３、３３はデータ等を記憶するメモリであり、特に、端末装置のＲＡＭ３３には、自己の端末装置に割り付けられた識別番号ｋを記憶する識別番号領域３３１と伝送遅延時間α（ｋ）を記憶する伝送遅延時間領域３３２が形成されている。
【００２６】
次に、本システムにおける通信手順を、センタ装置のＣＰＵ２２と端末装置のＣＰＵ３２の動作手順を示した図２、図３のフローチャートと、図４に示すタイミングチャートに基づいて説明する。
【００２７】
ステップ１００において、問合データが変復調装置２０に出力されることで、センタ装置Ｃから問合データが伝送路１１の上り低群帯域の所定チャネルに送信される。その問合データはヘッドエンド１０で下り高群帯域の所定チャネルに周波数変換され、伝送路１１を端末装置に向けて伝搬する。
【００２８】
図４において、時刻t0において問合データの送信が開始され、時刻t1において問合データの送信が終了する。この問合データは図４に示すように伝送路１１を伝搬して行く。次に、ステップ１０２でタイマＴがスタートされる。これは、問合データの送信開始時刻t0からの経過時刻Ｔを計測することで、端末装置から送信される応答データの受信時刻を検出するためである。そして、ステップ１０４で、下り高群帯域の所定チャネルの信号を監視し、端末装置から送信される応答データが受信されたか否かが、常時、監視されることになる。
【００２９】
全端末装置は図３に示すプログラムを実行している。即ち、ステップ２００において、下り高群帯域の所定チャネルを監視することで、問合データが受信されたか否かが、常時、監視されている。そして、その問合データの受信が完了した場合には、ステップ２０２において、タイマＷがスタートされる。これは、問合データの受信時刻からの経過時間Ｗを計測することで、各端末装置における応答データの固有の送信時刻を決定するためである。各端末装置Ｅ１〜Ｅｍには、０から順番に整数の識別番号ｋが割り付けられている。図４では、識別番号ｋを端末装置の位置とは全く無関係に設定した場合が記載されている。図４の例では、各端末装置は応答データの受信が完了した時刻、即ち、識別番号ｋが０の端末装置では問合データの受信が完了した時刻t2から、識別番号ｋが１の端末装置では時刻t3から、識別番号ｋがｋの端末装置では時刻t4から時間の計測が開始される。
【００３０】
次に、ステップ２０４において、自己の端末装置の送信データの有無を読取り、ステップ２０６でＲＡＭ３３の識別番号領域３３１に記憶されている自己の端末装置の識別番号ｋが読み取られる。そして、次のステップ２０８で、経過時間Ｗに関して次式が成立するか否かが判定される。
【００３１】
【数６】
Ｗ≧２α（０）＋ｋ（ｒ＋δ）−２α（ｋ）＋ｓ
この条件式が成立しない場合には、ステップ２０８の判定が繰り返され、この条件式が成立するまで待つことになる。
【００３２】
但し、α（ｋ）はセンタ装置と識別番号ｋの端末装置との間の伝送遅延時間、ｄは問合データの時間長、ｒは応答データの時間長、ｓは、０≦ｓ≦δを満たす所定時間であり、δは、後述する所定時間（０を含む）である。
【００３３】
図４に示すように、問合データの送信開始時刻を時刻０とし、ｎ＝１，２，…，ｋ＋１，…の時刻区間を設定する。各時刻区間は、応答データの時間長ｒに余裕時間δを加えた長さを有している。第１時刻区間の開始時刻は基準時βであり、その値βを、識別番号ｋ＝０の端末装置が問合データを受信した後、直ちに、応答データを送信したとして、その応答データがセンタ装置で受信される時刻と定義する。よって、β＝ｄ＋２α（０）となる。
【００３４】
又、第２時刻区間の開始時刻は、β＋（ｒ＋δ）、第ｋ＋１時刻区間の開始時刻は、β＋ｋ（ｒ＋δ）である。センタ装置の位置でこのように定義された時刻区間を、各端末装置から送信される応答データが衝突しない区間として伝送路１１にまで拡張する。即ち、各端末装置から送信される各応答データは、伝送路１１上において、各時刻区間内に分布し、センタ装置において各時刻区間内において受信される。従って、図４に示すように、伝送路１１上の時刻区間は、伝送路１１におけるデータの伝送遅延時間α（ｋ）を傾きとする傾斜した領域となる。
【００３５】
ｋ＝０の端末装置の位置での第１時刻区間の開始時刻t2はβ−α（０）、ｋ＝１の端末装置の位置での第２時刻区間の開始時刻t5はβ＋（ｒ＋δ）−α（１）、ｋ＝ｋの端末装置の位置での第ｋ時刻区間の開始時刻t6はβ＋ｋ（ｒ＋δ）−α（ｋ）となる。又、各時刻区間の長さは（ｒ＋δ）であるので、その間に、時間長ｒの応答データを送信すれば良いので、時間余裕はδだけある。よって、ｓ＜δの時間ｓを考慮して、識別番号ｋの端末装置は問合データの受信完了後、次式を満すＶ（ｋ）時間の経過後に、応答データを送信すれば良い。
【００３６】
【数７】
0003610467.tif 000002
この応答データの送信時刻を決定するＶ（ｋ）は、各端末装置からセンタ装置までの伝送遅延時間によって異なり、各端末装置毎に予め測定され、記憶されている。又、Ｖ（ｋ）を記憶する代わりに、各端末装置毎に、ｋとα（ｋ）とを記憶しておき、上式でＶ（ｋ）を演算して求めるようにしても良い。この時刻で、応答データを送信すれば、各端末装置からの応答データは衝突することがない。この時刻は、ｋ＝０の端末装置で時刻t2( 但し、この端末装置ではｓ＝０である）、ｋ＝１の端末装置で時刻t7, ｋ＝ｋの端末装置で時刻t8である。そして、それらの応答データは、それぞれ、時刻t9, t10, t11において、センタ装置Ｃで受信されることになる。
【００３７】
図２において、センタ装置ＣのＣＰＵ２２は、ステップ１０４で端末装置からの応答データの受信が完了すると、ステップ１０６で、その時のタイマＴの値Ｔから、次式を満たすｎの値により時刻区間番号ｎが決定される。
【００３８】
【数７】
β＋（ｎ−１）（ｒ＋δ）≦Ｔ＜β＋ｎ（ｒ＋δ）
即ち、識別番号ｋが０，１，…，ｋの端末装置から送信された応答データは、センタ装置Ｃにおいて、それぞれ、時刻区間番号ｎが１，２，…，ｋ＋１の時刻区間において受信が完了する。次に、ステップ１０８で、その時刻区間番号ｎを用いて、その応答データを送信した端末装置の識別番号ｋが次式で演算される。尚、δは、センタ装置がある応答データの受信処理が完了してから、次の応答データを受信できる状態になるまでに必要な時間を考慮して設定される。又、ｓの値は、０≦ｓ≦δを満たす任意の値で、各時刻区間の応答データが衝突を生じないように任意に設定すれば良い。例えば、２α（０）＝δを満たす場合には、ｋ＝０の端末装置のｓは０でも良く、従って、他の端末装置におけるｓ値が０であっても、各応答データ間の間隔をδだけ確保できる。勿論、全端末装置でｓ＝δに設定することで、各応答データ間の間隔をδだけ確保できる。
【００３９】
【数８】
ｋ＝ｎ−１
次に、ステップ１１０において、受信された応答データから、その端末装置が送信を希望するデータを有するか否かと識別番号ｋとの対応表がＲＡＭ２３に記憶される。これにより、どの端末装置が送信を希望しているかが判別できる。次に、ステップ１１２において、全端末装置からの応答データの受信が完了したか否かが判定され、完了していない場合には、ステップ１０４に戻り、上記したような次の応答データの受信の処理が実行される。ステップ１１２で、全応答データの受信が完了した場合には、ステップ１１４以下の送信を希望する端末装置に対するポーリングが実行される。
【００４０】
即ち、ステップ１１４において、送信要求のある端末装置に対して、データ送信指令が送信され、ステップ１１６で、その端末装置から送信されたデータの受信が完了したか否かが判定され、完了した場合には、ステップ１１８で、その端末装置の識別番号ｋに対応させて、受信したデータをＲＡＭ２３に記憶する。そして、ステップ１２０において、送信要求のある全端末装置からの送信データの受信が完了したか否かが判定され、受信が完了していない場合には、ステップ１１４に戻り、次の送信要求のある端末装置に対するポーリングが実行される。
【００４１】
又、このデータ通信は端末装置では図３のステップ２１２、２１４で実行される。即ち、センタ装置Ｃからデータ送信指令が受信されるのを待ち、その指令が受信された場合には、ステップ２１４で、その端末装置に記憶されているデータが送信される。このようにして、送信要求のある端末装置からのデータ通信が実行される。
【００４２】
上記の実施例において、問合データの時間長ｄ、応答データの時間長ｒ、余裕時間δ、微小時間ｓは、全て、予め約束された値である。従って、識別番号ｋの端末装置において、応答データの送信時刻が決定されるには、伝送遅延時間α（０）、α（ｋ）が決定されれば良く、センタ装置において時刻区間が設定されるには、伝送遅延時間α（０）が知られていれば良い。
【００４３】
次に、伝送遅延時間α（ｋ）の設定方法についてセンタ装置のＣＰＵ２２の処理手順を示した図５、端末装置のＣＰＵ３２の処理手順を示した図６を参照して説明する。
ステップ３００において、端末装置を指定して伝送遅延時間の測定のための信号を送信し、ステップ３０２で送信完了と共にタイマＹをスタートされる。次に、ステップ３０４で識別番号ｋの端末装置から応答信号が受信されたか否かを判定し、受信された場合には、ステップ３０６で、その時のタイマＹの値を２×伝送遅延時間α（ｋ）とする。
【００４４】
このような測定が、ステップ３０８で、全端末装置に関して終了したと判定されるまで、繰り返し実施される。ステップ３０８で、全端末装置に関して測定終了と判定された場合には、ステップ３１０で、識別番号ｋの端末装置に対して、伝送遅延時間α（０）、α（ｋ）が送信される。又、伝送遅延時間α（０）に関しては、センタ装置において、時刻区間の設定に必要となるので、ＲＡＭ２３に記憶される。
【００４５】
次に、端末装置では、図６のステップ４００において、伝送路１１からデータが受信されたか否かが判定され、受信された場合には、ステップ４０２で、そのデータがセンタ装置からの伝送遅延時間の測定指令データか否かが判定され、測定指令データであれば、ステップ４０４において、センタ装置に対して応答信号が送信される。この信号が、図５のステップ３０４でセンタ装置に受信されることで、伝送遅延時間が測定される。
【００４６】
又、ステップ４０２において、測定指令データでないと判定された場合には、ステップ４０６において、データ設定指令データか否かが判定される。即ち、図５のステップ３１０で、センタ装置から送信された伝送遅延時間α（０）、α（ｋ）が入力された場合には、ステップ４０８で、それらの値がＲＡＭ３３の伝送遅延時間領域３３２に設定される。又、ステップ４０６において、データ設定指令でないと判定された場合には、ステップ４１０で、その他の種類のデータの受信処理が実施される。
【００４７】
このように、各端末装置で応答データを送信する時刻を決定するに必要な値が上記の方法により設定される。
尚、上記の方法は、センタ装置において、伝送遅延時間α（ｋ）を測定する方法であるが、センタ装置から測定指令信号を送出し、各端末装置はこの信号を受信した時に、各端末装置が伝送遅延時間を測定するための信号をセンタ装置に送信し、センタ装置はこの信号を受信した時には、直ちに、信号を端末装置に送信することで、端末装置の側で伝送遅延時間α（ｋ）を測定するようにしても良い。この場合には、ｋ＝０の端末装置は、測定された伝送遅延時間α（０）をセンタ装置に送信し、センタ装置はこの値を記憶することになる。
【００４８】
又、上記実施例では、送信要求のある端末装置からのデータ通信は、問合データに対する応答データにより端末装置の送信要求を知り、後で、送信要求のある端末装置に対して、データを送信する指令を送信して、データをセンタ装置に送信するようにしている。しかし、この後で実行するデータ通信は、問合データと応答データが伝送するチャネルとは別のチャネルを用いて実行しても良い。さらに、データ通信を後で実行するのではなく、このデータを最初から応答データに含ませても良い。
【図面の簡単な説明】
【図１】本発明の具体的な実施例のシステムを示した構成図。
【図２】センタ装置のＣＰＵの処理手順を示したフローチャート。
【図３】端末装置のＣＰＵの処理手順を示したフローチャート。
【図４】問合データと応答データの伝送の様子を示した説明図。
【図５】伝送遅延時間を測定するためのセンタ装置のＣＰＵの処理手順を示したフローチャート。
【図６】伝送遅延時間を測定するための端末装置のＣＰＵの処理手順を示したフローチャート。
【図７】従来のシステムの問合データと応答データのデータ構造を示した構造図。
【図８】従来のシステムにおける問合データと応答データの伝送の様子を示した説明図。
【符号の説明】
Ｃ…センタ装置
Ｅ１〜Ｅｍ…端末装置
２０，３０…変復調装置
２２，３２…ＣＰＵ
２３，３３…ＲＡＭ
３３１…識別番号領域
３３２…伝送遅延時間領域
【図１】
0003610467.tif 000005
【図２】
0003610467.tif 000006
【図３】
0003610467.tif 000007
【図４】
0003610467.tif 000008
【図５】
0003610467.tif 000009
【図６】
0003610467.tif 000010
【図７】
0003610467.tif 000011
【図８】
0003610467.tif 000012